(57)【要約】【課題】天板にバーナを通す開口部が設けられ、この開口部の開口周縁に周縁突部が設けられ、この周縁突部の一部に凹部が設けられたものにおいて、手入れ性を向上させることができるガスこんろを提供する。【解決手段】本発明のガスこんろは、バーナ１１を通す開口部３１が設けられた天板２と、開口部３１に設置された五徳５とを備えている。天板２は、開口部３１の開口周縁から上方に向かって突出する周縁突部３３と、この周縁突部３３に凹設された凹部３６とを有している。凹部３６は、その底面３７が天板２上面よりも上方に位置するように形成されたものである。【選択図】図６
2015137810.tif 000002
【特許請求の範囲】
【請求項１】
バーナを有する機器本体と、
前記機器本体の上方に設けられ前記バーナを通す開口部が設けられた天板と、
前記開口部に設置され環状の五徳枠の周囲に複数の爪が設けられた五徳と
を備え、
前記天板は、
前記開口部の開口周縁から上方に向かって突出し前記五徳枠の内側に位置する周縁突部と、
この周縁突部の外周部の周方向の一部に凹設された凹部と
を有し、
前記五徳に前記凹部に入り込む位置決め突起が設けられたガスこんろであって、
前記凹部は、その底面が前記天板上面よりも上方に位置するように形成されたものである
ことを特徴とするガスこんろ。
【請求項２】
前記凹部の底面が、前記周縁突部の外側に向かうほど下方に位置するように傾斜している
ことを特徴とする請求項１記載のガスこんろ。
【請求項３】
前記五徳は、前記五徳枠の外側において、当該五徳枠の下端よりも下方に突出して前記天板上面に載置される突出部を有している
ことを特徴とする請求項１又は請求項２に記載のガスこんろ。
【請求項４】
前記五徳の爪の上端部には、調理容器を支持する支持部が設けられており、
前記突出部は、平面視において、前記支持部における最も前記バーナから離れた箇所よりも、さらにバーナから離れた箇所に設けられている
ことを特徴とする請求項３記載のガスこんろ。
【発明の詳細な説明】
【技術分野】
【０００１】
本発明は、ガスこんろに関する。
【背景技術】
【０００２】
特許文献１には、従来のガスこんろが開示されている。この特許文献１記載のガスコンロは、コンロバーナと、このコンロバーナを通すバーナ用開口が設けられた天板と、天板上に設置された五徳とを備えている。
【０００３】
天板のバーナ用開口の開口周縁には、環状隆起部が設けられている。この環状隆起部は、天板の上面から隆起しており、煮汁等が天板上面からバーナ用開口に向かって流入するのを防ぐ。
【０００４】
五徳は、環状の五徳枠と、この五徳枠に設けられた五徳爪とを備えている。五徳は、五徳枠が環状隆起部に外嵌されることで、天板上に設置される。
【０００５】
また、五徳には環状隆起部に向かって突出する突部が設けられている。この突部は、環状隆起部の外周部の周方向の一部に設けられた溝部に係合されるように構成されており、これにより、五徳の位置決めや回り止めを行うものである。
【先行技術文献】
【特許文献】
【０００６】
【特許文献１】特開２０１３−５７４６１号公報
【発明の概要】
【発明が解決しようとする課題】
【０００７】
ところでこの特許文献１記載のガスコンロは、上述したように、環状隆起部に溝部が設けられている。この溝部の底面は、天板上面と同一平面上に位置しており、つまり、天板上面と面一に形成されている。
【０００８】
このため、この従来のガスコンロでは、天板上に煮汁やその他の液体（以下、煮汁等という）が付着した際、環状隆起部によってバーナ用開口への煮汁等の流入を防ぐことができたとしても、煮汁等が溝部内に入り込んでしまう。特許文献１記載の溝部のような幅の小さい隙間に煮汁等が一旦入り込むと、煮汁等が溝部内にこびり付いて汚れの原因となる上に、清掃しにくいという問題があった。
【０００９】
本発明は、上記事情に鑑みてなされたものであり、その目的とするところは、天板にバーナを通す開口部が設けられ、この開口部の開口周縁に周縁突部が設けられ、この周縁突部の一部に凹部が設けられたものにおいて、手入れ性を向上させることができるガスこんろを提供することにある。
【課題を解決するための手段】
【００１０】
本発明のガスこんろは、バーナを有する機器本体と、前記機器本体の上方に設けられ前記バーナを通す開口部が設けられた天板と、前記開口部に設置され環状の五徳枠の周囲に複数の爪が設けられた五徳とを備え、前記天板は、前記開口部の開口周縁から上方に向かって突出し前記五徳枠の内側に位置する周縁突部と、この周縁突部の外周部の周方向の一部に凹設された凹部とを有し、前記五徳に前記凹部に入り込む位置決め突起が設けられたガスこんろであって、前記凹部は、その底面が前記天板上面よりも上方に位置するように形成されたものであることを特徴とする。
【００１１】
またこのガスこんろにおいて、前記凹部の底面が、前記周縁突部の外側に向かうほど下方に位置するように傾斜していることが好ましい。
【００１２】
またこのガスこんろにおいて、前記五徳は、前記五徳枠の外側において、当該五徳枠の下端よりも下方に突出して前記天板上面に載置される突出部を有していることが好ましい。
【００１３】
またこのガスこんろにおいて、前記五徳の爪の上端部には、調理容器を支持する支持部が設けられており、前記突出部は、平面視において、前記支持部における最も前記バーナから離れた箇所よりも、さらにバーナから離れた箇所に設けられていることが好ましい。
【発明の効果】
【００１４】
本発明のガスこんろは、凹部の底面が天板上面よりも上方に位置するように形成されているため、仮に天板上に煮汁等が付着しても、凹部内に煮汁等が流入しにくい。
【００１５】
この結果、本発明によれば、天板にバーナを通す開口部が設けられ、この開口部の開口周縁に周縁突部が設けられ、この周縁突部の一部に凹部が設けられたガスこんろにおいて、手入れ性を向上させることができる。
【図面の簡単な説明】
【００１６】
【図１】実施形態１のガスこんろの斜視図である。
【図２】実施形態１のガスこんろの五徳を取り外した状態の要部平面図である。
【図３】図２におけるＡ−Ａ線断面図である。
【図４】実施形態１のガスこんろの要部平面図である。
【図５】実施形態１の五徳の下方から見た斜視図である。
【図６】実施形態１のガスこんろの要部断面図である。
【図７】実施形態２の五徳の下方から見た斜視図である。
【発明を実施するための形態】
【００１７】
以下、本発明の実施形態について添付図面に基づいて説明する。
【００１８】
実施形態１のガスこんろは、図１に示すように、ドロップインこんろ（ビルトイン型こんろ）であり、例えば、キャビネット内に組み込まれて用いられる。このガスこんろは、機器本体１と、天板２と、五徳５とを備えている。
【００１９】
機器本体１は、バーナ１１やグリル庫１２等の機器を内蔵する。機器本体１は、ガスこんろがキャビネットに設置された状態では、キャビネット内に埋め込まれる。機器本体１は、バーナ１１と、グリル庫１２と、これらを内部に収容する筐体１４とを備えている。
【００２０】
筐体１４は、矩形箱状に形成されている。筐体１４の前面には、バーナ１１やグリル庫１２を操作するための操作部１５が設けられている。また、筐体１４の前面の中央には、グリル庫１２を開閉自在とするグリル扉１３が設けられている。筐体１４は、上方に開口しており、この開口を塞ぐようにして天板２が設けられる。
【００２１】
バーナ１１は、筐体１４の内部に複数配置されている（本実施形態では３つ）。バーナ１１は、五徳５上に配置された調理容器を加熱するためのものである。バーナ１１の上端は、筐体１４の上端よりも上方に突出している。
【００２２】
天板２は、機器本体１の上方に配置される。天板２は、平面視矩形状に形成されている。また、天板２は、アルミ等の金属板によって構成されている。天板２の外周縁には、全周に亙って縁部２１が設けられている。縁部２１は、天板２の上面（天板の大部分を構成する面）よりも上方に突出しており、例えば、絞り加工によって形成される。縁部２１は、左端部２２と、右端部２３と、前端部２４と、後端部２５とを有しており、後端部２５の幅が、左端部２２，右端部２３，前端部２４の幅よりも大きく形成されている。後端部２５には排気口２６が設けられており、排気口２６には排気カバー２７が取り付けられている。排気口２６は、グリル庫１２内に連通しており、グリル庫１２の排気を排出する。
【００２３】
天板２には、バーナ１１を通すための複数の開口部３１が設けられている。開口部３１は、上下方向に貫通する貫通孔３２と、この貫通孔３２の周縁に立設された周縁突部３３とを備えている。なお、各開口部３１には、１つのバーナ１１の上端が通される。
【００２４】
貫通孔３２は、天板２を貫通する。貫通孔３２は、天板２の複数箇所に配置される。この貫通孔３２には、バーナ１１の上端が通される。貫通孔３２の外周縁（つまり、開口部３１の開口周縁）には、図２に示すように、周縁突部３３が設けられている。この周縁突部３３は、天板２の上面よりも上方に向かって突出しており、平面視ドーナツ形状をしている。周縁突部３３は、前後方向の両端に位置する円弧部３４と、左右方向の両端に位置する直線部３５とを備えており、円弧部３４と直線部３５とが周方向に連続して形成される。この周縁突部３３は、例えば絞り加工によって形成される。
【００２５】
また、周縁突部３３には、五徳５を位置決めするための凹部３６が設けられている。この凹部３６は、円弧部３４に設けられており、言い換えると、周縁突部３３の周方向の一部に設けられている。凹部３６は、円弧部３４の径方向の外側に面する箇所（外周部）に設けられており、図３に示すように、底面３７と、一対の互いに対向する側面３８と、奥面３９とを有している。凹部３６は、円弧部３４の径方向の外側と上方とに向かって開口しており、すなわち、周縁突部３３に凹設されている。
【００２６】
凹部３６の深さは、周縁突部３３の高さよりも小さく形成されており、これにより、凹部３６の底面３７が、天板２上面よりも上方に位置している。なお、凹部３６の底面３７と天板２上面との間には、周縁突部３３の側壁の一部が残されている（この残された側壁を「堰部４０」と定義する）。天板２上面と堰部４０と凹部３６の底面３７とは連続して成形されている。また、凹部３６の底面３７は、円弧部３４の径方向の外側に向かうほど下方に位置するように傾斜している（つまり、底面３７は、天板２上面に向かって下り傾斜している）。
【００２７】
開口部３１には、図４に示すように、五徳５が設置される。五徳５は、図５に示すように、五徳枠５１と、複数の爪５２とを備えている。
【００２８】
五徳枠５１は、周縁突部３３の外側を囲むように環状に形成されている。本実施形態の五徳枠５１は、真円ではなく、楕円形状をしている。五徳枠５１は、例えば、断面円形の線材によって構成される。爪５２は、五徳枠５１の前後方向の中央で且つ左右方向の中央（以下、五徳中央という）を中心とした放射状に配置される。爪５２は、少なくとも３つ以上設けられている（本実施形態では６つ設けられている）。
【００２９】
爪５２は、調理容器を支持する支持部５３と、支持部５３の外側から下方に向かって延出した縦部５５と、縦部５５から内側に延出した固定部５６とを備えている。支持部５３と縦部５５と固定部５６とは一体形成されており、コ字状に形成される。
【００３０】
支持部５３は、五徳中央から外側に向かう方向に平行な方向（以下、径方向という）に長さを有している。支持部５３の上端は、図６に示すように、調理容器の底が当接する容器当接面５４となっている。容器当接面５４は、支持部５３の長さ方向の全長に亙って設けられており、水平となるよう形成されている。すべての爪５２の容器当接面５４は、略同一平面上に位置している。
【００３１】
縦部５５は、支持部５３における径方向の外側の端部から下方に向かって突出している。縦部５５は下方に向かうほど、径方向の外側に向かうように傾斜している。縦部５５は、支持部５３と固定部５６とを相互に連結する。
【００３２】
固定部５６は、縦部５５の下端から、径方向の内側に向かって突出している。固定部５６の内側の端部は、五徳枠５１に固定されている。また、五徳枠５１に固定された爪５２のうち前後方向に位置する爪５２の固定部５６には、位置決め突起５７が設けられている。
【００３３】
位置決め突起５７は、図６に示すように、固定部５６の径方向内側の端部から突出しており、これにより、五徳枠５１の内周面よりも内側に突出している。すなわち、位置決め突起５７は、五徳枠５１よりも径方向内側に向かって突出しており、周縁突部３３の凹部３６内に配置されるように構成されている。
【００３４】
また、固定部５６には天板２上面に載置される突出部５８が設けられている。突出部５８は、固定部５６の径方向外側の端部から下方に向かって突出している。突出部５８の外側の端部は、平面視において、支持部５３の径方向外側の端部よりも外側に位置している。言い換えると、突出部５８は、平面視において、五徳枠５１よりも外側に位置しており、より詳しくは、支持部５３における最もバーナ１１から離れた箇所よりも、さらにバーナ１１から離れた箇所に設けられている。
【００３５】
突出部５８の下端は、五徳枠５１の下端よりも下方に位置しており、つまり、突出部５８は五徳枠５１の下端よりも下方に突出している。五徳枠５１の下端は、平坦面６１となっており、天板２上面とは離間している。五徳５は、突出部５８のみで天板２上に支持されており、この突出部５８が、五徳５全体を支持する着座部５９を構成する。これにより、五徳５は、天板２上面に載置されると、五徳枠５１と天板２上面とが隙間を介して設置される。
【００３６】
なお、本実施形態の五徳５は、五徳枠５１が平面視楕円形であり、それ自体で回り止めできる構造となっているが、凹部３６に位置決め突起５７を嵌め込むことで、より精度よく五徳５を天板２上に位置決めすることができる。
【００３７】
以上、説明したように、本実施形態のガスこんろは、バーナ１１を有する機器本体１と、機器本体１の上方に設けられた天板２と、環状の五徳枠５１の周囲に複数の爪５２が設けられた五徳５とを備えている。天板２には、バーナ１１を通す開口部３１が設けられている。五徳５は、開口部３１に設置される。天板２は、開口部３１の開口周縁から上方に向かって突出した周縁突部３３と、この周縁突部３３の外周部の周方向の一部に設けられた凹部３６とを有している。周縁突部３３は、五徳枠５１の内側に位置するように形成されている。また、五徳５には、凹部３６に入り込む位置決め突起５７が設けられている。そして、凹部３６は、その底面３７が天板２上面よりも上方に位置するように形成されたものである。
【００３８】
このように本実施形態のガスこんろは、周縁突部３３が設けられている上に、凹部３６の底面３７が天板２上面よりも上方に位置しているため、調理中、煮こぼれによって調理容器から煮汁があふれて、天板２上に流下した場合であっても、周縁突部３３によって、バーナ１１を通す開口から煮汁が機器本体１内に流入するのを防ぐことができ、さらに、凹部３６内に煮汁が入り込んでしまうのを防ぐことができる。つまり、本実施形態のガスこんろは、凹部３６内に煮汁等が入り込みにくいため、手入れを簡略化することができ、手入れ性を向上させることができる。
【００３９】
また、本実施形態の凹部３６の底面３７は、外側に向かうほど下方に位置するように傾斜している。
【００４０】
このため、本実施形態のガスこんろによれば、仮に凹部３６に煮汁等が入り込んだ場合であっても、入り込んだ煮汁等を天板２上に流下させることができ、凹部３６内に煮汁等が滞留するのを防ぐことができる。
【００４１】
また、本実施形態の五徳５は、五徳枠５１の外側において、この五徳枠５１の下端よりも下方に突出して天板２上面に載置される突出部５８を有している。
【００４２】
このように、本実施形態のガスこんろによれば、五徳５を開口部３１に設置した状態で、五徳枠５１と天板２上面との間に隙間を形成することができるため、五徳枠５１と天板２上面との間に煮汁等が滞留しにくくできる。しかも、凹部３６内に煮汁等が入り込んだ場合にも、凹部３６の底面３７を流下する煮汁等を、五徳枠５１と天板２上面との間の隙間を通して排出できるため、凹部３６内から流下する煮汁等が五徳枠５１によって堰き止められるのを防ぐことができる。
【００４３】
また、本実施形態の五徳５の爪５２の上端部には、調理容器を支持する支持部５３が設けられている。突出部５８（突出部５８の一部又は全部）は、平面視において、支持部５３における最もバーナ１１から離れた箇所よりも、さらにバーナ１１から離れた箇所に設けられている。
【００４４】
このため、本実施形態の五徳５は、調理容器の載置する位置が、五徳５の中央からずれていたとしても、調理容器を安定して支持することができる。
【００４５】
ここで、ユーザーが五徳５に調理容器を載置するに当たっては、調理容器が五徳５の中央からずれてしまう場合があり、調理容器の重心が平面視において、五徳枠５１よりも外側に位置する場合がある。この場合において、仮に、五徳枠５１を介して調理容器が支持されていると、五徳５が傾いてしまったり、がたついてしまったりするため、調理容器の支持状態が不安定になる。
【００４６】
これに対し、本実施形態の五徳５は、天板２上面に当接する突出部５８が、支持部５３における最もバーナ１１から離れた箇所よりも、さらにバーナ１１から離れた箇所に設けられている。このため、五徳５が安定した状態で設置されるから、仮にユーザーが調理容器をずれて置いたとしても、五徳５の傾きやがたつきを抑制することができる。
【００４７】
しかも、本実施形態のガスこんろは、五徳５を支持する着座部５９が、天板２上面ではなく、五徳５の突出部５８によって構成されているため、天板２上面を清掃するに当たり、邪魔になる箇所（例えば、天板２上面に突設される着座部）をできる限り少なくできて清掃しやすい。
【００４８】
次に、実施形態２について図７に基づいて説明する。なお、本実施形態は実施形態１と大部分において同じであるため、同じ部分においては説明を省略し、主に異なる部分について説明する。
【００４９】
実施形態２のガスこんろは、五徳５の形状が、実施形態１のガスこんろとは異なっており、その他の構造は実施形態１と同じである。
【００５０】
本実施形態の五徳５は、五徳枠５１と、この五徳枠５１の周囲に複数設けられた爪５２と、五徳枠５１よりも外側に設けられた突出部５８とを備えている。この突出部５８は、本実施形態においては、外枠部６０によって構成されている。
【００５１】
外枠部６０は、爪５２の固定部５６の径方向外側の端部に設けられている。外枠部６０は、環状に形成されている。外枠部６０の下端面は、五徳枠５１の下端よりも下方に位置している。また、外枠部６０は、平面視において、支持部５３における最もバーナ１１から離れた箇所よりも、さらにバーナ１１から離れた箇所に設けられている。外枠部６０は、五徳５が開口部３１に設置されると、天板２上に載置される。すなわち、外枠部６０は本実施形態の五徳５における着座部５９を構成する。
【００５２】
このような構成の五徳５であっても、実施形態１と同様、天板２上面と五徳枠５１との間に隙間を形成することができる。
【００５３】
なお、実施形態１，２の位置決め突起５７は、図６に示すように、周縁突部３３の凹部３６の底面３７から上方に離れているが、本発明においては、位置決め突起５７が凹部３６の底面３７に当接して、五徳５が、突出部５８と位置決め突起５７との両者によって支持されていてもよい。
【００５４】
また、実施形態１，２のガスこんろは、凹部３６の底面３７が外側に向かって下り傾斜していたが、本発明においては、凹部３６の底面３７が天板２上面よりも上方に位置していればよく、必ずしも、凹部３６の底面３７が下り傾斜している必要はない。
【００５５】
また、実施形態１，２のガスこんろは、天板２上面に五徳５を設置するための突出部５８が、爪５２の支持部５３の径方向の外側端部よりも外側に位置していたが、本発明において突出部５８は、五徳枠５１よりも外側に設けられていればよく、爪５２の支持部５３の径方向の外側端部よりも内側に配置されていてもよい。
【００５６】
また、実施形態１，２のガスこんろは、ドロップインこんろによって構成されていたが、テーブルコンロであってもよく、また、グリル庫１２が設けられていなくてもよい。さらに、実施形態１，２のガスこんろは、周縁突部３３が平面視楕円形状に形成されていたが、本発明においては、平面視円形状であってもよく、この点限定されるものではない。
【符号の説明】
【００５７】
１      機器本体
１１    バーナ
２      天板
３１    開口部
３２    貫通孔
３３    周縁突部
３４    円弧部
３５    直線部
３６    凹部
３７    底面
３８    側面
３９    奥面
４０    堰部
５      五徳
５１    五徳枠
５２    爪
５３    支持部
５４    容器当接面
５５    縦部
５６    固定部
５７    位置決め突起
５８    突出部
５９    着座部
【図１】
2015137810.tif 000003
【図２】
2015137810.tif 000004
【図３】
2015137810.tif 000005
【図４】
2015137810.tif 000006
【図５】
2015137810.tif 000007
【図６】
2015137810.tif 000008
【図７】
2015137810.tif 000009